(57)【要約】【課題】  現場にて折板を用いた屋根の葺設が容易に行え、雨漏りも防止できる屋根構造の提供。【解決手段】  棟で交わる二つの屋根面を一連の金属製折板で葺いてなり、  屋根面を構成する複数の折板が各々その棟部において屈曲部を備え、当該屈曲部に裏側から表側へ線状に圧し出された折代を備える屋根構造。【選択図】      図１
2009007834.tif 000002
【特許請求の範囲】
【請求項１】
棟で交わる二つの屋根面を一連の金属製折板で葺いてなり、
屋根面を構成する複数の折板が各々その棟部において屈曲部を備え、当該屈曲部に表裏いずれかへ線状に圧し出された折代を備える屋根構造。
【請求項２】
前記屈曲部の底部に裏側から表側へ線状に圧し出された折代を備える前記請求項１に記載の屋根構造。
【請求項３】
前記折代の断面形状がアーチ状である前記請求項１又は請求項２のいずれかに記載の屋根構造。
【請求項４】
ベース上に下型を支持すると共に、当該ベースに固定されたフレームに前記下型にかみ合う上型を支持し、これら下型又は上型の少なくとも一方を進退可能とする進退手段を備え、前記下型と上型のプレス面に折代を成形する凹凸を形成し、前記ベースに折板を下支えする対のガイドローラを上型及び下型を挟んで前後に配置し、当該ガイドローラを昇降可能とする昇降手段を備える折板のプレス加工機。
【請求項５】
前記ベースを前後に水平移動させる位置決め輪とそれを動かすハンドルを具備したプレス位置決め手段を備える前記請求項４に記載の折板のプレス加工機。
【請求項６】
前記プレス面の断面形状がアーチ状である前記請求項４又は請求項５のいずれかに記載の折板のプレス加工機。
【発明の詳細な説明】
【技術分野】
【０００１】
本発明は、折板を用いた施工の手間が少ない屋根構造に関する。
【背景技術】
【０００２】
従来、棟で交わる二つの屋根面を形成するには、各屋根面について各々一連の金属製折板を葺き、棟部の縁の切れた部分を、例えば、下記特許文献１又は特許文献２に開示された手法により封じていた。
【０００３】
【特許文献１】実公平７−４６６６２号公報
【特許文献２】特開２００３−１３８６９５号公報
【発明の開示】
【発明が解決しようとする課題】
【０００４】
しかしながら、上記手法にあっては、屋根の棟部において二つの屋根面を連結する作業が伴い、当該棟部において雨漏り等が生じない様に施工するには、各屋根面を構成する折板の加工に際して比較的高い精度が要求されるという問題があった。
【０００５】
また、一連の扁平材を折板として加工しつつ屋根面として葺く折板を用いた屋根葺き作業に鑑みれば、短尺部材を多数葺く作業は効率が悪く、一部材毎に位置決め支持する作業が煩雑であり、更に、棟部の縁の切れた部分を封じる覆い部材の取り付け・遮水工事も伴うことから工期が長期化しがちとなる問題があった。
【０００６】
パラペット端部における折板の立ち上がり部での加工（特許文献３）や、屋根と外壁とを連続させる事を意図した加工（特許文献５）にあっては、下記特許文献３乃至特許文献５に開示されている様なラジアル加工を行うことによって一連の折板で異方向に走る折板を一体的に形成できることが知られているが、かかるラジアル加工は、比較的大掛りな装置を用いることから、現場において長尺部材を加工するに適しているとは言い難い。
【０００７】
本発明は、上記実情に鑑みてなされたものであって、現場にて折板を用いた屋根の葺設が容易に行え、雨漏りも防止できる屋根構造の提供を目的とする。
【課題を解決するための手段】
【０００８】
上記課題を解決する為になされた本発明による屋根構造は、棟で交わる二つの屋根面を一連の金属製折板で葺いてなり、屋根面を構成する複数の折板が各々その棟部において屈曲部を備え、当該屈曲部に表裏いずれかへ線状に圧し出された折代を備えることを特徴とする。前記屈曲部の少なくとも底部に備える折代は、裏側から表側へ線状に圧し出されたものであることが望ましく、前記折代の断面形状がアーチ状であることが望ましい。
【０００９】
上記課題を解決する為になされた本発明による折板のプレス加工機は、ベース上に下型を支持すると共に、当該ベースに固定されたフレームに前記下型にかみ合う上型を支持し、これら下型又は上型の少なくとも一方を油圧シリンダ等で進退可能とする進退手段を備え、前記下型と上型のプレス面に折代を成形する凹凸を形成し、前記ベースに折板を下支えする対のガイドローラを上型及び下型を挟んで前後に配置し、当該ガイドローラを昇降可能とする昇降手段を備えることを特徴とする。
【００１０】
前記ベースを前後に水平移動させる位置決め輪とそれを動かすハンドルを具備したプレス位置決め手段を備えることによって、折板における折代形成について位置決めの微調整を行うことが可能となる。また、当該プレス加工機により形成された折代について高い実用効果を得るには、前記プレス面の断面形状がアーチ状であることが望ましい。
【発明の効果】
【００１１】
本発明よる屋根構造によれば、雨漏り等の少ない屋根付き建造物を速やかに且つ安価に得ることができる。一連の扁平材を折板として加工しつつ屋根面として葺く折板を用いた屋根葺き作業に鑑みれば、棟を挟んだ複数の屋根面にそれぞれ短尺部材を多数葺く作業よりも、長尺部材を数少なく葺く作業の方が効率が良く、容易であることから工期も短縮できるものである。また、本発明による折板のプレス加工機によれば、比較的簡素且つ小規模な構成を以って、葺設する屋根に適した折板を現場において比較的簡単に棟となる折代を整形でき、必要に応じて所定間隔を隔てて複数回プレス作業を行えばラジアル加工を施すことも可能となることから施行上極めて便宜となる。
【発明を実施するための最良の形態】
【００１２】
以下、本発明による屋根構造の実施の形態を図面に基づき説明する。
図２に示す屋根構造は、棟で交わる二つの屋根面を一連の金属製折板１を複数枚平行に並べて結合し、一体に固定した状態で葺いたものである。
【００１３】
各折板１の例としては、厚さ約０．６ｍｍから１．２ｍｍの短冊状に裁断されたメッキ鋼板であって、その長手方向に沿って溝状に曲げ成形されたものが挙げられる。当該曲げ成形によって、幅方向の左右両端部には、全長にわたる鈎部２が対となって設けられ、その間に、中央に平坦な底部３を挟んでＶ字状に傾斜した側部４が一対全長にわたって形成される。当該例にあっては、底部３及び側部４の中央部にリブ５が形成されている。前記鈎部２は、対をなす鈎部２の一方と、隣接する折板１の他方の鈎部２とが相互に重ね折り合わされて連結し合う形状とされている（図５参照）。
【００１４】
屋根面を構成する複数の折板１は、Ｈ型鋼６等の葺設ベース上に、屋根に葺かれる複数の折板１の配置及び保形を司る支持材であるところのサドル（図４及び図５参照）１７を介在して固定され、当該サドル１７によって、折板１の保形並びに敷設ピッチの均一化が図られている。
【００１５】
当該サドル１７は、波状の脚部材１９と、隣接する折板８，８の両端に形成された鈎部２の間に挟まれて当該折板８，８を把持する保持部材１８とで構成され、前記保持部材１８の係止部２１が隣接する鈎部２，２の間に介在し、当該折板８，８を前記葺設ベース上に引き留めることとなる。
【００１６】
前記波状の脚部材１９は、葺設される折板１の長手方向の正面から見て波状となるように前記葺設ベース上にボルト（図示省略）で連結され、当該ボルトが、当該折板１を支持したサドル１７を前記葺設ベースに定着する為のアンカーとなる。前記保持部材１８は、前記サドル１７の上部に、直接ボルト２３で固定され（図５参照）、或いはボルト２０で固定された支持フレーム２２の両端部に各々ボルト２３で固定されている（図４参照）。
【００１７】
各折板１は、各々屋根の棟部に位置する箇所に屈曲部７を備え、当該屈曲部７を境として約１／１００から１５／１００程度の勾配を有する極めて緩やかな切妻型の屋根面を形成し、各折板１の屈曲部７が連結して棟部を形成する。
【００１８】
各折板１の屈曲部７には、当該折板１の略全幅にわたる直線状の折代８を備え、当該折代８はプレス加工により圧し出された断面形状がアーチ状に形作られている。プレス加工が成された折代８は、他の直線的部分に比較して折り曲げに対する抗力が弱くなっており（尚、当該例にあってはリブが設けられていることにより直線部分の硬直性が高められている。）、過度な折り曲げ加工を行わない限り、当該折代８の領域において、その板面が破損することなく位置に応じた変形を許容する性状並びにスペースを得ることが可能となる。
【００１９】
前記折代８は、表裏いずれかへ線状に一条圧し出されているが、図１に示す例にあっては、底部３の折代８は裏側から表側へ線状に圧し出され、側部４の折代８は表側から裏側へ押し出されている。この様な構造を採ることによって、底部３の折代８と側部４の折代８の出っ張りが相互に干渉する事を回避でき、且つ底部３の折代８に水が溜まることによる錆の発生を回避することができる。また、当該屈曲部７の折代８を裏側から表側へ線状に圧し出された構造とすることにより、当該棟部における水分やゴミ等の滞りが回避でき、棟部における折板の腐食等を防止することができる。高い水密性を得る為に、必要に応じて撥水塗料等を塗布或いは吹き付けても良い。
【００２０】
前記折代８が形作るアーチは、屋根面の勾配に応じて形成される各折板１の棟部が成す角度に応じて定められ、その角度が小さくなるほど、アーチの幅や高さを大きくすることが要求される。即ち、アーチの幅が広いほど、折板１の裏側において鋭角に曲がった際における各屋根面の最頂部の寄りが吸収でき、アーチの高さが高いほど、折板１の表側において鋭角に曲がった際における各屋根面の最頂部の離隔への対応量を稼ぐことができる。
【００２１】
因みに、図３に示す例にあっては、折代８での曲げ成形によって、折代８で仕切られた両側に存在する直線的部分（流れ部９）の上端が下位になるほど近接し、上位になるほど離隔することによって、近接した部分が畳まれ、離隔した部分が伸びることによって、複数枚平行に並べて継ぎ合わされ結合された複数の折板１が、大きな歪みを生じることなく整然と切妻型の屋根を構成することとなる。
【００２２】
本発明による屋根構造を形作る折板１は、前記の如く、その長手方向に沿って溝状に曲げ成形された後に、図６乃至図１２に示す比較的簡素なプレス加工機を以て所定の位置に折代８を設けるだけで、その屋根に配されたＨ型鋼６等の上に配置し、その棟部となる位置において、屋根の傾斜に倣いつつ折代８に沿って曲げ、固定すれば比較的容易に屋根葺き作業が行えることとなる。
【００２３】
上記の如く折代８形成するプレス加工機は、ベース１０の上に下型１１を固定すると共に、当該ベース１０上に設定されたフレーム１２に下向きに設定された油圧シリンダ１３のロッドの先端に上型１４を固定し、前記下型１１に上型がかみ合う様に進退手段としての油圧シリンダ１３を伸ばすことによって、前記下型１１と上型１４のプレス面１５，１６に形成された凹凸に対応した折代８を押し出すプレス成形をするものであって、当該凹凸の態様を各折板１の棟部が成す角度に応じて定めるべく、複数の対となる下型１１と上型１４を付け替えることができる。
【００２４】
図７乃至図１２に示す例では、前記ベース１０に現場成形された折板を下支えする対のガイドローラ２５を上型１４及び下型１１を挟んで前後対照的に配置し、当該ガイドローラ２５を昇降可能とする構成を備える。当該例に用いるガイドローラ２５の昇降手段としては種々考えられるが、当該例にあっては、各々ハンドル２６を以って原動軸を回転させることで当該原動軸に設けられたウォームギヤを回転させ、当該ウォームギヤに噛み合って回転させられるウォーム歯車を、前記ガイドローラ２５の左右端部を回転自在に支える支承ロッドに設けられたラック歯車と噛み合わせることにより当該ガイドローラ２５を昇降させるものである（図示省略）。
【００２５】
更に、当該プレス加工機は、前記ベースを前後に水平移動させる位置決め輪２７とそれを動かすハンドルを具備したプレス位置決め手段を備える。図７乃至図１２に示すプレス加工機のプレス位置決め手段は、前記ベース１０下の四隅部に前記位置決め輪をそれぞれの進行方向をベース１０の前後に向けて固定し、そのうちの一つにベルト２８を介して駆動力を伝達する位置決めホイール２４を前記ハンドルとしてベース状に回転自在に支持したものである（図７参照）。
【００２６】
前記プレス位置決め手段においては、ベース１０の前後への微動を行える事が求められるので、前記位置決めホイール２４の一回転以上を以って駆動輪となる位置決め輪の一回転となるように両者の回転比を調節する措置、或いは前記位置決めホイール２４の径を位置決め輪の径よりも十分に大きくする措置のいずれか或いは双方の措置を施す事が望ましい。
【００２７】
上記構造を以って、前記ガイドローラ２５を前後共に上昇させ、現場成形された折板を、ローラの転がりを以って上型１４と下型１１の間に案内し（図７及び図８参照）、プレス位置の微調整を経て棟折位置に案内したところでガイドローラ２５を下降させる（図９参照）。これを以って、プレス加工時に、折板とガイドローラ２５との接点に圧痕が残ることを防止することができる。プレス加工後は、型の前方に位置するガイドローラ２５を上昇させて折板の折代を送り、当該折代が型の後方に位置するガイドローラ２５上を通過した後に当該ガイドローラ２５を上昇させる（図１０参照）。以上の作業を施した折板を屋根を葺く際に必要となる数だけ形成し屋根面として葺設する。
【産業上の利用可能性】
【００２８】
雨漏り等の少ない屋根付き建造物を速やかに且つ安価に得ることができることから、建築物を提供する分野のみならず、それを作業場として製品を提供する種々の産業の便宜にも資することとなる。
【図面の簡単な説明】
【００２９】
【図１】本発明による屋根構造の棟部を形作る折板の屈曲部の一例を示す斜視図である。
【図２】本発明による屋根構造の棟部の一例を示す要部斜視図である。
【図３】本発明による屋根構造の棟部を形作る折板の屈曲部の一例を示す縦断面図である。
【図４】本発明による屋根構造の棟部を形作る折板の屈曲部の一例を示す縦断面図である。
【図５】本発明による屋根構造の一例を示す横断面図である。
【図６】本発明による屋根構造の棟部を形作る折板の折代をプレス加工するプレス加工機の一例を示す概略図である。
【図７】図６に示すプレス加工機の使用態様における一工程を示す側面図である。
【図８】図６に示すプレス加工機の使用態様における一工程を示す側面図である。
【図９】図６に示すプレス加工機の使用態様における一工程を示す側面図である。
【図１０】図６に示すプレス加工機の使用態様における一工程を示す側面図である。
【図１１】図６に示すプレス加工機の使用態様における一工程を示す平面図である。
【図１２】図６に示すプレス加工機の使用態様における一工程を示す正面図である。
【符号の説明】
【００３０】
１  折板，２  鈎部，３  底部，４  側部，５  リブ，
６  Ｈ型鋼，７  屈曲部，８  折代，９  流れ部，
１０  ベース，１１  下型，１２  フレーム，１３  油圧シリンダ，
１４  上型，１５  プレス面，１６  プレス面，
１７  サドル，１８  保持部材，１９  脚部材，２０  ボルト，２１  係止部，
２２  支持フレーム，２３  ボルト，２４  位置決めホイール，２５  ガイドローラ，
２６  ハンドル，２７  位置決め輪，２８  ベルト，
【図１】
2009007834.tif 000003
【図２】
2009007834.tif 000004
【図３】
2009007834.tif 000005
【図４】
2009007834.tif 000006
【図５】
2009007834.tif 000007
【図６】
2009007834.tif 000008
【図７】
2009007834.tif 000009
【図８】
2009007834.tif 000010
【図９】
2009007834.tif 000011
【図１０】
2009007834.tif 000012
【図１１】
2009007834.tif 000013
【図１２】
2009007834.tif 000014